(57)【要約】【課題】時刻情報の表示位置を安定して適切な位置に設定可能な時刻情報表示位置制御装置を提供する。【解決手段】時刻情報表示位置制御装置は、映像内の複数の表示エリアのうち１つを、時刻情報の表示エリアとして選択する。当該装置は、各表示エリアの映像内の動きの有無を判断して、時刻情報の位置を決定する。デフォルトの初期表示エリアの映像に動きが無い場合は、当該初期表示エリアに時刻情報を表示する。初期表示エリアの映像に動きがあると判断した場合は、映像の動き度合いが最小の表示エリアに時刻情報を表示する。【選択図】図１
2011244114.tif 000002
【特許請求の範囲】
【請求項１】
時間的に連続的な映像内に規定した複数の表示エリアのうち１つを、時刻情報の表示エリアとして選択する表示エリア決定部と、
前記複数の表示エリアのうちから初期表示エリアを定める初期表示エリア設定部と、
各表示エリアの映像の動きを検出する表示エリア動き検出部とを備え、
前記時刻表示エリア決定部は、
前記表示エリア動き検出部による各表示エリアの映像の動きの検出結果に基づいて、前記初期表示エリアの映像に動きが無いと判断した場合は当該初期表示エリアを選択し、前記初期表示エリアの映像に動きがあると判断した場合は映像の動き度合いが最小の表示エリアを選択する
ことを特徴とする時刻情報表示位置制御装置。
【請求項２】
前記時刻表示エリア決定部は、
前記初期表示エリアの映像に動きがあり、且つ、現在選択している表示エリアの映像には動きが無いと判断した場合は、前記現在選択している表示エリアを引き続き選択し、
前記初期表示エリアの映像に動きがあり、且つ、現在選択している表示エリアの映像にも動きがあると判断した場合は、映像の動き度合いが最小の表示エリアを選択する
請求項１記載の時刻情報表示位置制御装置。
【請求項３】
前記表示エリア動き検出部は、
過去の映像の映像信号を少なくとも１フレーム分保持できるメモリを有し、
現在の映像信号と過去の映像信号とを比較して映像の動きを検出する
請求項１または請求項２記載の時刻情報表示位置制御装置。
【請求項４】
前記表示エリア動き検出部は、
現在の映像信号と過去の映像信号との差分が所定の閾値を超えているか否かにより、映像の動きの有無を判断する
請求項１から請求項３のいずれか記載の時刻情報表示位置制御装置。
【請求項５】
ユーザが前記閾値を調整可能な閾値設定部をさらに備える
請求項４記載の時刻情報表示位置制御装置。
【請求項６】
前記閾値設定部は、前記閾値の値を表示エリアごとに個別に設定可能である
請求項５記載の時刻情報表示位置制御装置。
【請求項７】
初期表示エリア設定部は、ユーザの操作に応じて前記初期表示エリアを変更可能である
請求項１から請求項６のいずれか記載の時刻情報表示位置制御装置。
【請求項８】
表示エリアは、映像内の左上段、左中段、左下段、中央上段、中央下段、右上段、右中段、右下段のうち１箇所以上を含む
請求項１から請求項７のいずれか記載の時刻情報表示位置制御装置。
【発明の詳細な説明】
【技術分野】
【０００１】
本発明は、映像上に時刻情報を表示する位置を制御する時刻情報表示位置制御装置に関するものであり、特に、監視・観察用の映像など、変化（動き）を伴う映像上に時刻情報を表示させる技術に関する。
【背景技術】
【０００２】
例えば、金融機関やスーパーマーケットなどにおける店内セキュリティーの確保、駐車場やホテル、パチンコ店などにおける事故・不正行為・犯罪の防止、文教施設や研究所などでの実験観察の記録、あるいは画像ファイルの管理、等には監視・観察用映像機器が広く用いられている。以下では説明の便宜上、監視・観察を総称して単に「監視」と呼ぶこととする。
【０００３】
監視用映像機器としては、監視エリアの映像（監視映像）を取得するカメラ（監視カメラ）および監視映像を表示する表示装置（監視モニタ）の他、複数の監視カメラの映像を切り替える切替装置（監視カメラコントローラ）、複数の監視カメラの映像を同時に表示可能な表示装置（多画面監視モニタ）、監視カメラからの映像信号をビデオテープやハードディスク等の記録媒体に記録する記録装置（監視用ビデオレコーダ）等がある。監視用映像機器は、用途の性格上、表示あるいは記録する監視映像にその撮影の日付および時刻（時刻情報）を示す文字列を合成する機能（スーパーインポーズ機能）を有するのが一般的である。
【０００４】
監視用映像機器の中には、監視映像内に時刻情報を表示させるとき、その表示位置をユーザが設定可能なものがある。これによれば、監視映像の例えば右上、右下、左上、左下など、監視の妨げとならない位置を選択して時刻情報を表示させることができる。しかし、監視カメラの据え付け位置や監視対象の種類によっては、監視映像内で監視の妨げとならない位置を特定できない場合がある。例えば、監視対象が撮影範囲の全体を動き回るような場合などである。時刻情報の表示が監視対象の映像に重なってしまうと、時刻情報の表示が邪魔になって監視の妨げとなる。
【０００５】
例えば下記の特許文献１には、その問題を解決するための技術が開示されている。この技術では、時刻情報の表示エリアの映像信号（デジタル輝度信号）をメモリに蓄えておき、それを次のフレームにおける同表示エリアの映像信号と比較して、両者の間に１ビット或いは数ビットの違いがあれば、次フレームの時刻情報の表示位置を画面上の別の場所に移動させている。
【先行技術文献】
【特許文献】
【０００６】
【特許文献１】特開平６−３５０９５７号公報
【発明の概要】
【発明が解決しようとする課題】
【０００７】
特許文献１の技術では、単純に１フレーム期間遅延した映像信号と現在の映像信号との差分を求め、両者間に１ビット或いは数ビットの違いがあれば時刻情報の表示位置を移動させている。しかしこの方法では、監視映像内に監視対象の他にも動的なもの（例えば監視対象ではない雨や雪、木の葉の揺れ、海の波の乱反射など）が写り込む場合や、映像信号にノイズが含まれていた場合に、それを過剰に検知して、時刻情報の表示位置が移動する可能性がある。
【０００８】
特に、時刻情報の表示位置の移動先にも動的なものがあった場合や、監視映像の全体にノイズが発生した場合には、時刻情報の表示位置がめまぐるしく移動する。つまり時刻情報の表示位置が不安定になり、かえって監視の妨げとなる。
【０００９】
本発明は以上のような課題を解決するためになされたものであり、時刻情報の表示位置を安定して適切な位置に設定可能な時刻情報表示位置制御装置を提供することを目的とする。
【課題を解決するための手段】
【００１０】
本発明に係る時刻情報表示位置制御装置は、時間的に連続的な映像内に規定した複数の表示エリアのうち１つを、時刻情報の表示エリアとして選択する表示エリア決定部と、前記複数の表示エリアのうちから初期表示エリアを定める初期表示エリア設定部と、各表示エリアの映像の動きを検出する表示エリア動き検出部とを備え、前記時刻表示エリア決定部は、前記表示エリア動き検出部による各表示エリアの映像の動きの検出結果に基づいて、前記初期表示エリアの映像に動きが無いと判断した場合は当該初期表示エリアを選択し、前記初期表示エリアの映像に動きがあると判断した場合は映像の動き度合いが最小の表示エリアを選択するものである。
【発明の効果】
【００１１】
本発明に係る時刻情報表示位置制御装置によれば、時刻情報は原則として特定の位置（初期表示エリア）に表示され、また時刻情報の表示エリアの映像に動きがあった場合でも、時刻情報の表示は、より映像の動きの少ない表示エリアに移動されるので、時刻情報を安定して適切な位置に表示させることができる。
【図面の簡単な説明】
【００１２】
【図１】本発明の実施の形態に係る時刻情報表示位置制御装置のブロック図である。
【図２】本発明の実施の形態における監視映像の例を示す図である。
【図３】本発明の実施の形態における監視映像の例を示す図である。
【図４】本発明の実施の形態における監視映像の例を示す図である。
【図５】本発明の実施の形態における監視映像の例を示す図である。
【図６】本発明の実施の形態に係る時刻情報表示位置制御装置の動作を示すフローチャートである。
【発明を実施するための形態】
【００１３】
＜実施の形態１＞
図１は、本発明の実施の形態に係る時刻情報表示位置制御装置のブロック図である。この時刻情報表示位置制御装置は、映像信号入力端７に入力された時間的に連続的な監視映像の映像信号に対し、日付を含む時刻情報の表示を合成するものである。また日付情報が合成された映像信号は映像信号出力端８から出力される。
【００１４】
図１の如く、本実施の形態の時刻情報表示位置制御装置は、入力信号処理部９、出力信号処理部１０、日付時刻表示合成部１１、表示エリア抽出部１２、信号遅延部１５、表示エリア動き検出部１８、動き度合い比較部２１、日付時刻表示エリア決定部２２、表示ＣＰＵ２３、時計部２４、エリア初期選択部２５を備えている。
【００１５】
入力信号処理部９は、映像信号入力端７に入力された映像信号を、当該装置で処理可能な形式のデジタル映像信号に変換するものである。本実施の形態では、時刻情報表示位置制御装置が、デジタル映像信号（例えばITU-R BT.656）に対して、時刻情報表示の合成処理を行うものと仮定する。出力信号処理部１０は、時刻情報が合成されたデジタル映像信号を、その出力先に応じた形式の信号に変換するものである。入力信号処理部９および出力信号処理部１０の具体的な機能は、時刻情報表示位置制御装置が搭載される機器によって異なる。
【００１６】
例えば、時刻情報表示位置制御装置がアナログ式の監視カメラに搭載されるケースであれば、映像信号入力端７にはＣＣＤ等の撮像素子からのＲＧＢ信号が入力され、入力信号処理部９はそれをデジタル映像信号に変換する。一方、出力信号処理部１０は、デジタル映像信号を、コンポジット映像信号やＹ−Ｃセパレート映像信号などのアナログ映像信号に変換して映像信号出力端８から出力する。映像信号出力端８から出力されたアナログ映像信号は、監視カメラの映像出力端子へと送られる。
【００１７】
また、時刻情報表示位置制御装置がアナログ式の監視カメラコントローラに搭載されるケースであれば、映像信号入力端７には、監視カメラ等から当該監視カメラコントローラの映像入力端子に入力されたアナログ映像信号（コンポジット映像信号やＹ−Ｃセパレート映像信号など）が入力され、入力信号処理部９はそれをデジタル映像信号に変換する。出力信号処理部１０は、デジタル映像信号をアナログ映像信号に変換して映像信号出力端８から出力する。映像信号出力端８から出力されたアナログ映像信号は、監視カメラコントローラの映像出力端子へと送られる。
【００１８】
時刻情報表示位置制御装置が、監視カメラからのアナログ映像信号を記録する監視用ビデオテープレコーダに搭載されるケースであれば、映像信号入力端７には、監視カメラ等から当該監視用ビデオテープレコーダの映像入力端子に入力されたアナログ映像信号が入力され、入力信号処理部９はそれをデジタル映像信号に変換する。出力信号処理部１０は、デジタル映像信号を輝度信号と色信号に変換し、映像信号出力端８から出力する。映像信号出力端８から出力された輝度信号および色信号は、さらにＦＭ変調回路等を経てビデオテープに記録される。
【００１９】
時刻情報表示位置制御装置が、監視カメラ等からのアナログ映像信号をビデオデコーダによりデジタル映像信号に変換してハードディスクに保存する監視用デジタルビデオレコーダに搭載されるケースであれば、映像信号入力端７には、監視用デジタルビデオレコーダのビデオデコーダが生成したデジタル映像信号が入力される。また映像信号出力端８から出力されるデジタル映像信号は、ハードディスク装置に記録される。そのため上記ビデオデコーダが生成するデジタル映像信号が、そのまま時刻情報表示位置制御装置で処理可能な形式であれば、入力信号処理部９および出力信号処理部１０は省略できる。
【００２０】
時刻情報表示位置制御装置が、監視用モニタに搭載されるケースであれば、映像信号入力端７には、監視用モニタの映像入力端子に入力された、監視カメラ等からのアナログ映像信号が入力され、入力信号処理部９はそれをデジタル映像信号に変換する。出力信号処理部１０は、デジタル映像信号をＲＧＢ信号に変換して映像信号出力端８から出力する。映像信号出力端８から出力されたＲＧＢ信号は、監視用モニタ内部の表示装置駆動回路（ＣＲＴドライブ回路やＬＣＤドライブ回路等）を経て、監視用モニタの表示画面（ＣＲＴやＬＣＤ）に映像として出力される。
【００２１】
なお、本発明の適用は以上の用途に限定されず、用途に応じて入力信号処理部９および出力信号処理部１０に適切な機能を持たせることによって、様々な形態の監視用映像機器に適用可能である。
【００２２】
再び図１を参照する。日付時刻表示合成部１１は、入力信号処理部９が生成したデジタル映像信号に、現在の時刻情報の文字列を合成（スーパーインポーズ）する。上記の出力信号処理部１０には、日付時刻表示合成部１１によって時刻情報表示が合成されたデジタル映像信号が入力される。
【００２３】
表示エリア抽出部１２は、デジタル表示信号から得られる監視映像内に複数規定される、時刻情報表示エリア（時刻情報表示の背景となる部分）のそれぞれの映像信号を抽出する。図２は、本実施の形態における監視映像の例を示す図である。本実施の形態では、同図に点線の矩形で示すように、監視映像内の６箇所に時刻情報の表示エリアを規定する（上記点線は実際の画面には表示されない）。
【００２４】
ここで、図２に示す６つの時刻情報表示エリアのうち、右上段のものを第１表示エリア１、右中段のものを第２表示エリア２、右下段のものを第３表示エリア３、左上段のものを第４表示エリア４、左中段のものを第５表示エリア５、左下段のものを第６表示エリア６と規定する。
【００２５】
表示エリア抽出部１２は、複数個（ｎ個）の信号抽出部を含み、その数は少なくとも時刻情報表示エリアの数と同じだけ必要である。本実施の形態では、６つの時刻情報表示エリアを規定しているので、表示エリア抽出部１２は６つの信号抽出部を備えるものとする。すなわち本実施の形態の表示エリア抽出部１２は、第１〜第６表示エリア１〜６の映像信号をそれぞれ抽出する第１〜第６表示エリア信号抽出部１２［１］〜１２［６］を備える。
【００２６】
信号遅延部１５は、表示エリア抽出部１２が抽出した時刻情報表示エリアの映像信号を少なくとも１フレーム（またはフィールド）分保持でき、それを所定期間（１フレーム以上）遅延させて出力する。信号遅延部１５は、例えば、表示エリア抽出部１２が抽出した映像信号を１フレーム（またはフィールド）分以上保持できるＦＩＦＯ（First-In/First-Out）の画像メモリで構成することができる。
【００２７】
信号遅延部１５は、表示エリア抽出部１２の各信号抽出部に接続する遅延器を備える。つまり遅延器の数は表示エリア抽出部１２の信号抽出部と同じ個数（ｎ個）である。本実施の形態の信号遅延部１５は、第１〜第６表示エリア信号抽出部１２［１］〜１２［６］が抽出した映像信号を遅延させる６つの遅延器１５［１］〜１５［６］を備える。
【００２８】
表示エリア動き検出部１８は、表示エリア抽出部１２が抽出した時刻情報表示エリアそれぞれの映像信号（現在の映像信号）と、それを信号遅延部１５が遅延した信号（過去の映像信号）とを比較することにより、時刻情報表示エリアごとに映像の変化（動き）を検出する。複数の時刻情報表示エリアのうち、現在の映像信号と過去の映像信号の差分が大きいエリアは、動きの度合いが大きいエリアと判断できる。
【００２９】
表示エリア動き検出部１８は、表示エリア抽出部１２の信号抽出部と同じ個数（ｎ個）の動き検出部を備えている。本実施の形態の表示エリア動き検出部１８は、第１〜第６表示エリア１〜６における映像の動きをそれぞれ検出する第１〜第６表示エリア動き検出部１８［１］〜１８［６］を備える。第ｋ表示エリア動き検出部１８［ｋ］（１≦ｋ≦６）は、第ｋ表示エリア信号抽出部１２［ｋ］が抽出した映像信号（現在の映像信号）と、それを遅延器１５［ｋ］が遅延した信号（過去の映像信号）とを比較して、第ｋ表示エリアの動きを検出し、その度合い（差分）を表す数値を出力する。
【００３０】
動き度合い比較部２１は、表示エリア動き検出部１８が得た各時刻情報表示エリアの映像の動き度合いを表す数値を、所定の閾値と比較したり、他の時刻情報表示エリアの映像動き度合いと比較したりして評価する。日付時刻表示エリア決定部２２は、その評価結果に基づいて、時刻情報をどの表示エリアに表示させるかを決定し、それを日付時刻表示合成部１１に指示する制御信号（表示エリア制御信号）を出力する。
【００３１】
ＣＰＵ２３は、時刻情報表示位置制御装置の各要素を制御するマイクロコンピュータである。ＣＰＵ２３は、時計部２４から日付を含む現在の時刻情報を取得し、その時刻情報を表す文字列を示す信号（日付時刻文字パターン信号）を日付時刻表示合成部１１へと送る。
【００３２】
日付時刻表示合成部１１は、監視映像（入力信号処理部９からのデジタル映像信号）に対して、日付時刻表示エリア決定部２２からの表示エリア制御信号に応じた位置に、ＣＰＵ２３からの日付時刻文字パターン信号に応じた文字列を合成させるように動作する。
【００３３】
ユーザインターフェイス部２５は、ユーザが操作可能な押しボタンスイッチやマウス等の入力デバイスであり、初期表示エリア設定部２５１、表示スタイル設定部２５２および閾値設定部２５３を含んでいる。初期表示エリア設定部２５１は、時刻情報を表示させる初期位置（デフォルトの位置）を設定するものであり、図１の例であれば、第１〜第６表示エリア１〜６のいずれか１つを選択できる。
【００３４】
表示スタイル設定部２５２は、時刻情報表示エリアのレイアウトを変更するためのものである。閾値設定部２５３は、動き度合い比較部２１が各時刻情報表示エリアにおける動きの有無を判断する基準となる閾値を設定するものである。
【００３５】
図６は、本発明の実施の形態に係る時刻情報表示位置制御装置の動作を示すフローチャートである。同図を参照しつつ、図１の時刻情報表示位置制御装置の動作を説明する。
【００３６】
まずユーザは、初期表示エリア設定部２５１を操作して、複数の時刻情報表示エリアのうち最初に時刻情報を表示させる「初期表示エリア」を選択する（Ｓ１）。ここでは図２に示す第１〜第６表示エリア１〜６のうち、第１表示エリア１が初期表示エリアとして選択されたとする。ユーザは、表示スタイル設定部２５２および閾値設定部２５３を操作して、時刻情報表示エリアのレイアウトや、映像の動きの有無の基準となる閾値を設定することもできるが、ここではその説明は省略する。
【００３７】
初期表示エリアとして第１表示エリア１が選択されると、日付時刻表示エリア決定部２２は、第１表示エリア１を指定する表示エリア制御信号を日付時刻表示合成部１１に送る。これにより、時刻情報の表示位置が第１表示エリア１に設定される（Ｓ２）。
【００３８】
ＣＰＵ２３は、ＣＰＵ２３から現在の時刻情報を取得し（Ｓ３）、その時刻情報に対応した日付時刻文字パターン信号を日付時刻表示合成部１１に送る。日付時刻表示合成部１１は、表示エリア制御信号と日付時刻文字パターン信号に基づいて、監視映像（入力信号処理部９からのデジタル映像信号）の第１表示エリア１に、時刻情報表示を合成する（Ｓ４）。その結果、図２のように監視映像の第１表示エリア１に時刻情報が表示される。
【００３９】
続いて表示エリア動き検出部１８は、表示エリア抽出部１２が得た第１〜第６表示エリア１〜６の映像信号（現在の映像信号）と、それを信号遅延部１５が遅延させた信号（過去の映像信号）との差分をとり、第１〜第６表示エリア１〜６それぞれの映像の動きを検出し、その動きの度合いを数値化して動き度合い比較部２１へと送る。
【００４０】
動き度合い比較部２１は、まず初期表示エリアである第１表示エリア１の映像に動きがあったかどうかを判定する（Ｓ５）。具体的には、第１表示エリア１の映像の動き度合いを表す数値が所定の閾値を超えているか否かを判定し、閾値を超えていなければ表示エリア１の映像には動きが無いとみなし、閾値を超えていれば動きがあったと判定する。
【００４１】
表示エリア１の映像に動きが無ければ（ステップＳ５において「NO」）、動き度合い比較部２１は、日付時刻表示エリア決定部２２に対し第１表示エリア１を指定するように指示する（Ｓ６）。その指示を受けた日付時刻表示エリア決定部２２は、第１表示エリア１を指定する信号を日付時刻表示合成部１１に送る。その結果、時刻情報を表示する位置が第１表示エリア１に設定される。その後は、上記のステップＳ３に戻り、時刻情報の取得および監視映像への合成が行われる。
【００４２】
また、表示エリア１の映像に動きがあった場合（ステップＳ５において「YES」）、動き度合い比較部２１は、現在、時刻情報が表示されている位置が初期表示エリア（第１表示エリア１）かどうか調べる（Ｓ７）。
【００４３】
このとき図２のように第１表示エリア１に時刻情報が表示されていれば（ステップＳ７において「YES」）、動き度合い比較部２１は、第１〜第６表示エリア１〜６それぞれの映像の動き度合いを表す数値を比較して、最も動き度合いが小さいものを特定する。そして日付時刻表示エリア決定部２２に対し、最も動きの小さい時刻情報表示エリアに時刻情報を表示させるよう指示する。動き度合い比較部２１はそれに応じた表示エリア制御信号を日付時刻表示合成部１１に送る。その結果、時刻情報を表示する位置が、第１〜第６表示エリア１〜６のうち映像の動き度合いが最も小さいエリアに設定される（Ｓ８）。その後は、上記のステップＳ３に戻り、時刻情報の取得および監視映像への合成が行われる。
【００４４】
例えば、図２の監視映像の状態から、その映像内の人物Ａ，Ｂ，Ｃがそれぞれ動き、人物Ａが第１表示エリア１の中に写り込んだとする。それにより第１表示エリア１の映像に動きがあったと判断されると、動き度合い比較部２１は、第１〜第６表示エリア１〜６から最も動き度合いの小さいものを特定する。このとき第５表示エリア５の動きが最も小さいと評価されたと仮定すると、図３のように時刻情報表示が第５表示エリア５へと移動する。
【００４５】
なお、図３のように時刻情報表示が第１表示エリア１（初期表示エリア）から既に他のエリアに移動していた場合も、動き度合い比較部２１はまず第１表示エリア１の映像の動き度合いの評価を行い（Ｓ５）、第１表示エリア１の映像に動きが無ければ、時刻情報を表示する位置は第１表示エリア１に設定される（Ｓ６）。つまり第１表示エリア１の映像に動きが生じて時刻情報表示がそこから移動しても、その後、第１表示エリア１の映像の動きが治まれば、時刻情報表示の位置は第１表示エリア１に戻ることになる。言い換えれば、時刻情報表示は、第１表示エリア１の映像に動きが無い限り、常に第１表示エリア１に表示される。
【００４６】
例えば、図３の監視映像のように時刻情報表示が第５表示エリア５にある状態から、人物Ａが左に移動して、第１表示エリア１から出たとする。それにより第１表示エリア１の映像に動きが無くなったと判断されると、図４のように時刻情報表示が第１表示エリア１へと戻る。
【００４７】
一方、図３のように時刻情報表示が初期表示エリア（第１表示エリア１）から他のエリアに移動した後も、第１表示エリア１の映像に動きが継続している場合は（ステップＳ５において「YES」、ステップＳ７において「NO」）、動き度合い比較部２１は、現時点で時刻情報が表示されているエリア（現表示エリア）の映像の動きの有無を判断する（Ｓ９）。このとき現表示エリアの映像に動きが無いと判断されると（ステップＳ９において「NO」）、動き度合い比較部２１は、日付時刻表示エリア決定部２２に対し、時刻情報を表示するエリアを現表示エリアに維持するよう指示する。日付時刻表示エリア決定部２２は、現表示エリアを指定する信号を日付時刻表示合成部１１へと送る。その結果、時刻情報を表示する位置は、引き続き現表示エリアに設定される（Ｓ１０）。つまり時刻情報表示は移動しない。その後は、上記のステップＳ３に戻り、時刻情報の取得および監視映像への合成が行われる。
【００４８】
例えば図３の監視映像の状態から、人物Ａが引き続き第１表示エリア１内を動き続け、且つ、第５表示エリア５の映像に動きが無かった場合、時刻情報表示は第５表示エリア５から移動しない。
【００４９】
また、時刻情報表示が初期表示エリア（第１表示エリア１）から他のエリアに移動した後、初期表示エリアと現表示エリアの両方に映像の動きがあったと判定された場合は（ステップＳ９において「YES」）、上で説明したステップＳ８へと進む。すなわち、動き度合い比較部２１は、第１〜第６表示エリア１〜６のうち映像の動き度合いが最小のものを特定し、時刻情報を表示する位置をそのエリアに設定する。その後は、上記のステップＳ３に戻り、時刻情報の取得および監視映像への合成が行われる。
【００５０】
例えば図３の監視映像の状態から、第１表示エリア１と第５表示エリア５の両方に映像の動きがあったと判断されたときは、時刻情報表示は、第１〜第６表示エリア１〜６のうち映像の動き度合いが最小のエリアへと移動する（例えば第６表示エリア６）。第１〜第６表示エリア１〜６の映像の状態によっては、このとき時刻情報の表示位置が第１表示エリア１（初期表示エリア）へと移動する場合もあるし、第５表示エリア５から移動しない場合もある。
【００５１】
以上の動作は、映像信号入力端７から映像信号が入力される間、継続的に実行される。従って、本実施の形態に係る時刻情報表示位置制御装置によれば、時刻情報表示は、初期表示エリア（上の例では第１表示エリア１）の映像に動きが無い期間は、常に初期表示エリアに表示される。初期表示エリアの映像に動きが生じると、時刻情報表示は、全ての表示エリア（第１〜第６表示エリア１〜６）のうち最も映像の動きが小さいものへと移動する。その後、初期表示エリアの映像の動きが治まれば時刻情報表示は初期表示エリアに戻るが、初期表示エリアの映像の動きが継続した場合は、現表示エリアの映像の動きが無い限り時刻情報表示の位置は維持される。また初期表示エリアにも現表示エリアにも映像にも動きが生じている場合には、全ての表示エリアのうち最も映像の動きが小さいものに時刻情報が表示される。
【００５２】
このように、時刻情報表示が原則として初期表示エリアに表示されるため、その表示位置が安定する。また初期表示エリアの映像に動きが生じ、時刻情報表示位置を移動させるときは、前もって移動先のエリアの映像の動きを評価して、映像の動きが最小のエリアへと移動させるので、時刻情報表示位置がめまぐるしく変化することが防止される。
【００５３】
ここで、表示エリア初期選択部２５の表示スタイル設定部２５２および閾値設定部２５３について説明する。
【００５４】
表示スタイル設定部２５２は、時刻情報表示エリアのレイアウトを変更させるものである。例えば図２では、時刻情報表示エリアが６箇所規定されていたが、それを図５で点線の矩形で示すように、画面の四隅に変更することができる。図５に示す４つの時刻表示エリアのうち、右上のものを第１表示エリア１ａ、右下のものを第２表示エリア２ａ、左上のものを第３表示エリア３ａ、左下のものを第４表示エリア４ａと規定する。
【００５５】
この場合、時刻情報表示エリアの数が４つに減るので、表示エリア抽出部１２の第１表示エリア信号抽出部１２［１］〜１２［４］を用いて第１〜第４表示エリア１ａ〜４ａの映像信号を抽出すれば足りる。このとき第５および第６表示エリア信号抽出部１２［５］，１２［６］の動作は停止させる（同様に、遅延器１５［５］，１５［６］、第５および第６表示エリア動き検出部１８［５］，１８［６］も停止させる）。
【００５６】
また閾値設定部２５３は、動き度合い比較部２１において各時刻情報表示エリアの動きの有無を判定する基準となる閾値を設定することができる。例えば、監視映像に、監視対象とは別の動的物体が写りこむ場合、予め閾値を高めに設定しておけば、映像の動きが過剰に検出されることを防止でき、必要以上に時刻情報の表示位置が移動することを抑えることができる。
【００５７】
閾値は、複数の時刻情報表示エリアに共通の値としてもよいが、時刻情報表示エリアごとに個別に設定できるようにしてもよい。例えば、監視対象とは別の動的物体の位置が予想できる場合には、その位置に重複する時刻情報表示エリアの閾値のみを高く設定するとよい。そうすると、その時刻情報表示エリアで映像の動きが過剰に検出されることを防止しつつ、他の時刻情報表示エリアでは高い精度で映像の動きを検出することが可能になる。
【００５８】
また以上では、時刻表示エリアの位置の例として、監視映像内の左上段、左中段、左下段、右上段、右中段、右下段を示したが、他の個所、例えば中央上段、中央下段にも設けてもよい。
【符号の説明】
【００５９】
１〜６  時刻情報表示エリア、７  映像信号入力端、８  映像信号出力端、９  入力信号処理部、１０  出力信号処理部、１１  日付時刻表示合成部、１２  表示エリア抽出部、１５  信号遅延部、１８  表示エリア動き検出部、２１  動き度合い比較部、２２  日付時刻表示エリア決定部、２３  ＣＰＵ、２４  時計部、２５  ユーザインターフェイス部、２５１  初期表示エリア設定部、２５２  表示スタイル設定部、２５３  閾値設定部。
【図１】
2011244114.tif 000003
【図２】
2011244114.tif 000004
【図３】
2011244114.tif 000005
【図４】
2011244114.tif 000006
【図５】
2011244114.tif 000007
【図６】
2011244114.tif 000008